(57)【特許請求の範囲】
【請求項１】
正面板と、台座と、前記正面板と台座との間に配置され少なくとも一つの開口部を有する側部とを備え、前記開口部が振動板により覆われることによりマイクロホン内に内部空間が形成される小型マイクロホンにおいて、
前記内部空間が高音響インピーダンス部材により平衡空間と連通されており、前記平衡空間がたるんだ膜により外部に対し防湿密閉されている、
ことを特徴とする小型マイクロホン。
【請求項２】
前記高音響インピーダンスの部材が管材であることを特徴とする請求項１に記載の小型マイクロホン。
【請求項３】
前記管材が略７０μｍの内径と３ないし４ｍｍの長さとを有していることを特徴とする請求項２に記載の小型マイクロホン。
【請求項４】
前記管材が耐腐食性材料で作られていることを特徴とする請求項１または２に記載の小型マイクロホン。
【請求項５】
前記高音響インピーダンス部材が開放孔型発泡材で作られていることを特徴とする請求項１に記載の小型マイクロホン。
【請求項６】
前記たるんだ膜がポリカーボナイト、ポリウレタン、ゴム、エラストマーあるいは金属箔で作られていることを特徴とする請求項１に記載の小型マイクロホン。
【請求項７】
前記たるんだ膜がリング部材により前記正面板に固定されていることを特徴とする請求項１から６のいずれか一つに記載の小型マイクロホン。
【発明の詳細な説明】
【０００１】
【発明の属する技術分野】
本発明は、衣服あるいは直接人体に担持される小型マイクロホンに関する。
【０００２】
【従来の技術】
この種のマイクロホンは少なくとも一つの、まれに２以上の振動板を有し、振動板は少なくとも凹部を介して筒状のマイクロホンの側部に取り付けられる。この構成により、正面板および台座と、振動板により覆われる開口部を備えた側部との間に、マイクロホンの音響特性にとって重要な内部空間が形成される。
【０００３】
この内部空間にとって重要なことは、振動板を静止位置において所定の位置に正確に保持し且つ所定の張力で保持するために、その内部圧力が可能な限り外部の静圧と一致していることである。
【０００４】
そのため、従来では振動板保持部或いは振動板に小さな開口部を設け、これらの開口部を通じてこのような圧力平衡を行なっていた。
【０００５】
【発明が解決しようとする課題】
しかしながら、この種のマイクロホンは、特殊な使われ方をされることにより、前記開口部を通じて湿気が内部空間に浸入し、それが内部空間にて凝縮し、振動板および他の部材にとって問題になることが多い。
【０００６】
この種のマイクロホンは、たとえば歌唱中或いは劇場公演またはミュージカル公演中に出演者が直接皮膚または髪で担持するので、通常のマイクロホンよりもかなり湿気にさらされることを考慮する必要がある。このことは、劇場でこの種のマイクロホンを使用するとその平均寿命がかろうじて１ヶ月であることからも明らかであるので、このような問題を解決することにかなりの経済的興味も抱かれている。さらに、組み立てが完成したマイクロホンの長さも径も数ミリメートルにすぎないことも考慮する必要がある。
【０００７】
本発明は、上記従来技術の技術的課題を鑑みてなされたものであり、防湿密閉された小型マイクロホンを提供することを目的とする。
【０００８】
【問題点を解決するための手段】
第１の発明は、正面板と、台座と、正面板と台座との間に配置され、少なくとも一つの開口部を有する側部とを備え、前記開口部がそれぞれ振動板により覆われることによりマイクロホン内に内部空間が形成される小型マイクロホンにおいて、前記内部空間が高音響インピーダンス部材により平衡空間と連通され、前記平衡空間がたるんだ膜により外部に対し防湿密閉されていることを特徴とするものである。
【０００９】
第２の発明は、第１の発明において、高音響インピーダンスの部材が管材であることを特徴とするものである。
【００１０】
第３の発明は、第２の発明において、管材が略７０μｍの内径と３ないし４ｍｍの長さとを有していることを特徴とするものである。
【００１１】
第４の発明は、第１又は第２の発明において、管材が耐腐食性材料で作られていることを特徴とするものである。
【００１２】
第５の発明は、第１の発明において、高音響インピーダンス部材が開放孔型発泡材で作られていることを特徴とするものである。
【００１３】
第６の発明は、第１の発明において、たるんだ膜がポリカーボナイト、ポリウレタン、ゴムまたはエラストマーあるいは金属箔で作られていることを特徴とするものである。
【００１４】
第７の発明は、第１から第６の発明において、たるんだ膜がリング部材により前記正面板に固定されていることを特徴とするものである。
【００１５】
【作用及び効果】
従って、本発明によれば、内部空間が高音響インピーダンス部材により平衡空間と連通され、平衡空間がたるんだ膜により外部に対し防湿密閉された小型マイクロホンが提供される。
【００１６】
これにより、外部に対するマイクロホンの完全な密封が達成される。さらに、低域フィルタとして機能する高音響インピーダンス部材により、内部空間の音響特性ひいてはマイクロホン全体の音響特性が変化しないことが達成される。これは、作動中に受ける振動数の場合、高音響インピーダンス部材が閉じた壁のごとく作用することによる。
【００１７】
さらに、たるんだ膜が外部の静圧を受けて変形するので、マイクロホン内部圧力を常に外部の静圧に一致させることが可能になる。
【００１８】
高音響インピーダンス部材としては、ほぼ７０μｍの内径と３ないし４ｍｍの長さを持った圧力平衡管材を使用するのが有利である。ただし、音響学的観点から管材が有利であっても、開放孔型発泡材または類似の材料からなるコルク栓状のものを使用することもできる。
【００１９】
たるんだ密閉膜は湿気を通さないように且つできるだけたるむように形成すればよい。すなわち、予め付勢されずに形成されて取り付けられ、平衡空間を外部から切り離し保護できればよい。
【００２０】
本発明に従って使用される新規な部材には、従来電気音響学の分野で慣用されている材料を使用でき、たとえばたるんだ膜にはポリカーボナイト、ポリウレタン、ゴム、エラストマー或いは金属箔を使用することができる。また、管材には耐腐食性材料、たとえば洋銀、ステンレス鋼またはプラスチックを使用することができる。
【００２１】
【発明の実施の形態】
以下、添付図面に基づき本発明の実施の形態について説明する。
【００２２】
図１は本発明に係る小型マイクロホン１の拡大軸断面図である。以下の説明では従来と同じ構成については説明を省略し、本発明の特徴となる部分を中心に説明する。
【００２３】
まず、マイクロホン１の大きさについて説明すると、その長さＨはほぼ７ｍｍであり、最大径Ｄはほぼ４．５ｍｍである。マイクロホン１は、正面板９、台座２及び側部３からなるハウジングと、２つの振動板３’、３’’とを備える。振動板３’、３’’は側部３の開口部３ａの周囲に密着するように取り付けられており、マイクロホン１の中には内部空間７が形成される。内部空間７はすべての側を振動板３’、３’’あるいはハウジングによって覆われている。
【００２４】
ハウジングの正面板９には圧力平衡管４が配置されている。圧力平衡管４は洋銀、ステンレス鋼またはプラスチック等の耐腐食性材料で作られており、略７０μｍの内径と３ないし４ｍｍの長さとを有している。圧力平衡管４はそのサイズと材質のために高い音響インピーダンスを有しており、低域フィルタとして機能する。これにより、可聴振動数範囲で伝動されるべき振動板３’、３’’の振動が高振動数になり、内部空間７から圧力平衡管４を通って平衡空間８へ至る空気の著しい脈動流動が生じるのが抑えられる。
【００２５】
平衡空間８はハウジングの正面板９に形成された凹部９ａにより形成され、たるんだ保護膜６によって外部に対し密封されている。この保護膜６を機械的に保護するためにリング部材１０が正面板９に設けられている。このリング部材１０はたるんだ保護膜６のための固定手段としても用いられる。
【００２６】
振動技術的、音響的にニュートラルとし、マイクロホン１の音響特性への影響をできるだけ少なくするために、圧力平衡管４は絶縁体５を介して正面板９に保持される。
【００２７】
いま、マイクロホン１の外部で空気圧の変化が生じると、これに対応してたるんだ保護膜６が変形する。たとえば空気圧が増大すると、たるんだ保護膜６は、内部空間７の全容積および平衡空間８の縮小により再び平衡状態になるまで、内部空間７のほうへ変形する。
【００２８】
たるんだ保護膜６はこのような変形に対し可能な限り弾性抵抗しないので、このような圧力平衡は振動板３’、３’’を変形させずに、またはそのプレストレスを変化させずに行なわれる。
【００２９】
このようにして冒頭で述べた目的が達成され、部材が破壊しない限り、或いは少なくとも損傷しない限り、湿気の侵入が実質的に阻止されるマイクロホンが提供される。
【００３０】
なお、本発明は、図示した実施形態に限定されるものではなく、種々の変形が可能である。例えば、本発明は振動板を１つだけ備えたマイクロホンにも適用できる。また、管材に代えて前述したように高音響インピーダンスの他の部材を使用してもよく、たとえば海綿状の部材と短い管材の組み合わせを使用してもよい。
【００３１】
さらに、平衡空間８をマイクロホン１の正面板９以外の部位に設けてもよく、電気信号線をも案内される個所に十分なスペースがあれば平衡空間８をマイクロホンの台座側に設けてもよい。台座側へ設けることができれば平衡空間を機械的に保護することができる。
【図面の簡単な説明】
【図１】本発明によるマイクロホンの拡大軸断面図である。
【符号の説明】
１      マイクロホン
２      台座
３      側部
３’，３”      振動板
４      圧力平衡管
５      絶縁材
６      保護膜
７      内部空間
８      平衡空間
９      正面板
１０    リング状部材
【図１】
0004154108.tif 000002